(57)【特許請求の範囲】
【請求項１】
台座と、
屋根材固定体とが、
回動軸によって回動可能に連結された取付金具の取付構造であって、
構造材の辺部上において、最もケラバに近い位置に取り付けられた前記取付金具の回動軸は、
両端に台座と屋根材固定体との連結箇所の外側よりも両外側に突出されたねじ部を有し、
該ねじ部のうち、ケラバ側に位置する一方には、
連結箇所の外側とナットとの間にケラバ部材固定金具が固定されている
取付金具の取付構造。
【請求項２】
一方向に開口された挿入口が形成された台座と、
屋根材固定体とが、
両端に台座と屋根材固定体との連結箇所の外側よりも両外側に突出されたねじ部を有する
回動軸によって回動可能に連結された取付金具が、
連結部材によって連結された取付金具の連結構造であって、
該連結部材は、
複数のねじ係合部を有し、
２つの前記取付金具が、
台座の挿入口が棟部の構造材の辺部に対向するようにはめられ、
一方の取付金具のねじ部と、
他方の取付金具のねじ部とが、
前記ねじ係合部に係合され、
ナットで固定されて連結されている取付金具の連結構造。
【請求項３】
台座は、
本体と、押圧体と、締付手段を有し、
前記本体には、
傾斜部と、
一方向に開口された挿入口が形成されており、
押圧体が、
締付手段によって本体に組み合わせられており、
前記本体の挿入口が構造材の辺部にはめられ、
前記締付手段が締め付けられ、
前記押圧体が傾斜部に沿って斜め上方に引き上げられ、
前記押圧体の上面と前記挿入口で、
構造材の辺部を上下で挟むことによって取付金具が固定されている
請求項１の取付金具の取付構造、又は請求項２の取付金具の連結構造。
【発明の詳細な説明】
【技術分野】
【０００１】
本願は、Ｈ形鋼等の構造材に屋根材等を取り付けるための取付金具に関するものである。また、本願は、Ｈ形鋼等の構造材で構成された棟部に用いる取付金具の連結構造に関するものである。
【背景技術】
【０００２】
図７のケラバ納め構造とその支持金具は、 タイトフレーム４の上に固定した支持金具７に対してケラバ包み板６の内側部６３をビス止め固定する。
【０００３】
図８の建築用受具は、受部本体２と、該受部本体２が設置されると共に該受部本体２の設置位置を中心として両側に貫通孔１３が形成された長方形状の台座１と、断面コ字形状で且つ上片３１側に締付螺子部４が設けられてなる２つの係止部材Ａとを具備する。前記係止部材Ａの前記締付螺子部は前記台座１の前記貫通孔１３に貫通されると共に、前記係止部材Ａは水平面上を回動自在とすると共に前記締付螺子部４の締付にて固定される。
【０００４】
図９の取付金具には、横方向に貫通されているボルトが示されている。このボルトは、台座Ａ２の側壁部２２・２２と屋根材固定体Ａ１の起立部１２との一側の重なり箇所と、他側の重なり箇所とを貫通している。このボルトは、枢軸の機能を果たしており、屋根材固定体Ａ１と台座Ａ２、または台座Ａ２と回動体Ａ３とが組み合わせられる役目を果たすとともに、それらが動くための軸となっている。
【０００５】
図１０の金属製折版屋根は、長尺に形成された一方の金属製折版屋根本体の棟側端部と長尺に形成された他方の金属製折版屋根本体の棟側端部とを対向させた状態で梁上に配設するとともに、これら折版屋根本体の一方の棟側端部上面と他方の棟側端部上面とに亘り該棟側端部間を被う棟押え板を当てがってビス等の止着具で前記両棟側端部に棟押え板の両側が固着されている。
【先行技術文献】
【特許文献】
【０００６】
【特許文献１】特開平８−４２０７５号公報
【特許文献２】特開２０１６−６２７１号公報
【特許文献３】特開２００２−４４３２号公報
【非特許文献】
【０００７】
【非特許文献１】実開昭６０−９１７３２号公報
【発明の概要】
【発明が解決しようとする課題】
【０００８】
図７で示したケラバ納め構造とその支持金具は、ケラバ部に用いるタイトフレームと、それ以外の部位に用いるタイトフレームが別々に必要である。そのため、コストが高くなっていた。
【０００９】
図８で示した建築用受具は、棟部に用いるが、それ以外の部位には別の取付金具が必要である。また、棟が一本梁で構成されている場合、建築用受具を互い違いに取り付けなければならず、屋根材の山谷の位置がずれた状態になってしまう。
【００１０】
図９で示した取付金具は、軸ボルトの実施例として、一端が頭部で、他端がねじ部である一般的な形状の六角ボルトが記載されている。この場合、ねじ部側には他部材を取り付けられるが、頭部側には他部材を取り付けることが困難である。したがって、軸ボルトの向きが異なるものを準備しなければならず、しかもねじ部が突出している側でなければ後付で他部材を取り付けることができなかった。また、特許文献３の図１１にボルトを２本使用した実施例も示されているが、台座と屋根材固定体を単につなぐボルトにすぎず、連結箇所の外側に他部材を取り付けることは想定されていなかった。
【００１１】
図１０で示した金属製折版屋根は、棟をはさんで両側の折版屋根同士が棟押え板だけでつながれた構成なので、屋根の流れ方向への荷重に弱かった。
【００１２】
本願は、ケラバ部、棟部といった屋根の部位を問わず、汎用的に用いることができる取付金具を提供することを目的とする。また、本願は、この取付金具を棟部に用いる場合に、様々な構造材のサイズに対応することができるとともに、容易に位置合せができ、かつ、屋根の流れ方向への荷重に強い取付金具の連結構造を提供することを目的とする。
【課題を解決するための手段】
【００１３】
本願は、台座と、屋根材固定体とが、回動軸によって回動可能に連結された取付金具である。回動軸は、両端に台座と屋根材固定体との連結箇所の外側よりも両外側に突出されたねじ部を有する。ねじ部は、連結箇所の外側とナットとの間に他部材を固定可能である。
【００１４】
また、本願は、上記に加え、先述の取付金具が連結部材によって連結された取付金具の連結構造である。連結部材は、複数のねじ係合部を有する。２つの取付金具が、構造材の上辺部に取り付けられ、一方の取付金具のねじ部と、他方の取付金具のねじ部とが、ねじ係合部に係合され、ナットで固定されて連結されている。
【発明の効果】
【００１５】
本願の取付金具は、回動軸のねじ部が、両端に台座と屋根材固定体との連結箇所の外側よりも外側に突出された構成である。そのため、ケラバ部、棟部、それ以外の部分を問わず、汎用的に用いることができる。たとえば、本願の取付金具がケラバ部に用いられる場合、ねじ部に関して左右向きを問わず、同じ取付金具を用いて、左右のケラバ部材固定金具を組み合わせることができる。
【００１６】
また、本願の取付金具が棟部に用いられる場合、すなわち本願の取付金具の連結構造は、ねじ部に対して連結部材を係合させ、２つの取付金具を組み合わせて用いることができる。そのため、棟が一本梁で構成されている場合であっても、建築用受具を互い違いに取り付けなくてもよい上、連結部材を用いるために屋根材の山谷の位置がずれた状態にならず、取付金具の位置決めが容易である。
【００１７】
本願の取付金具の連結構造は、連結部材を用いて、屋根材同士が棟押え板だけでつながれた構成ではなく、取付金具同士が連結部材によって強固に連結されている。さらに、ねじ部が両外側に突出されているので、そのねじ部両方に連結部材を組み合わせることができる。そのため、屋根の流れ方向への荷重に強い構造になっている。
【図面の簡単な説明】
【００１８】
【図１】本願の取付金具の実施例を示す説明図である。
【図２】本願の取付金具が取り付けられた状態を示す実施例の説明図である。
【図３】本願の取付金具が取り付けられた状態を示す実施例（ケラバ部）の説明図である。
【図４】本願の取付金具の連結構造の実施例を示す説明図である。
【図５】本願の取付金具の連結構造の実施例（棟部）を示す説明図である。
【図６】本願の取付金具の連結構造に用いられる連結部材の実施例を示す説明図である。
【図７】従来技術を示す説明図である。
【図８】従来技術を示す説明図である。
【図９】従来技術を示す説明図である。
【図１０】従来技術を示す説明図である。
【発明を実施するための形態】
【００１９】
本願の取付金具及び取付金具の連結構造の実施例について、図面に基づいて説明する。図１は、本願の取付金具の実施例を示す説明図である。図２は、本願の取付金具を用いて屋根材を取り付けた実施例を示す説明図である。図３は、本願の取付金具を用いてケラバ部材を取り付けた実施例を示す説明図である。図４は、本願の取付金具の連結構造の実施例を示す説明図である。図５は、本願の取付金具の連結構造を棟部（一本梁）に用いた実施例を示す説明図である。図６は、本願の取付金具の連結構造で用いる連結部材の実施例を示す説明図である。
【００２０】
本願の取付金具及び取付金具の連結構造において、屋根材とは、吊子やタイトフレームといった取付金具を用いて取り付けられるものである。その中でも縦葺き屋根材、折板等が最適である。
【００２１】
まず、本実施例の取付金具Ａが用いられる屋根材Ｙの一例について説明する。この屋根材Ｙは金属製であって折板と称されており、谷部Ｙ１と、その左右の斜面部Ｙ２・Ｙ２とを有しており、斜面部Ｙ２・Ｙ２には取付金具Ａの屋根材固定体Ａ２に嵌めるための嵌合部Ｙ２１・Ｙ２１が形成されている。そして、斜面部Ｙ２・Ｙ２の両端は、それぞれ外側方向に延出されて水平状部Ｙ３・Ｙ３が形成されている。一方の水平状部Ｙ３の端部には内側ハゼＹ４が、他方の水平状部Ｙ３の端部には外側ハゼＹ５が形成されている。
【００２２】
まず、本願の取付金具について、図１で説明する。なお、本実施例の取付金具Ａは、隣り合う屋根材Ｙ・Ｙの谷部Ｙ１・Ｙ１同士の間に配置される、いわゆる「独立型」の取付金具Ａであり、構造材Ｅ上に溶接することなく固定されるものである。ただし、本実施例は一例であり、本願の取付金具は、構造材Ｅ上に固定される仕組みを問わず、本実施例に限定されるものではない。
【００２３】
本実施例の取付金具Ａにおいて、台座Ａ１は、挿入口Ａ１１１を有する本体Ａ１１と、締付手段Ａ１３と組み合わされた押圧体Ａ１２とを有している。挿入口Ａ１１１は、取付金具Ａを構造材Ｅの上辺部Ｅ１に嵌めるための部分である。本実施例の挿入口Ａ１１１は、一方向に開口する側面視略コ字状に形成されている。
【００２４】
挿入口Ａ１１１・Ａ１１１の上辺は、側面から外側に折り曲げられて形成されている。ここが、構造材Ｅの上辺部Ｅ１の表面側への当接部分となる。そのため、構造材Ｅの上辺部Ｅ１の表面側に「面」で当接することになり、取付金具Ａを安定した状態に取り付けることができる。
【００２５】
本体Ａ１１は、押圧体Ａ１２と組み合わされた締付手段Ａ１３に対して略平行な傾斜部２３を形成している。こうすることによって、締付手段Ａ１３を締め付けたときに、後述する押圧体Ａ１２が傾斜部２３に沿ってスライドし、引き上げられる。
【００２６】
押圧体Ａ１２は、締付手段Ａ１３によって引き上げられたときに、構造材Ｅの上辺部Ｅ１の裏面側と、傾斜部２３の間において、楔のような役割を果たす。
【００２７】
締付手段Ａ１３は、本実施例のようなボルト・ナット（固定用ナットＡ１３ａ）であることが望ましい。ボルトは、押圧体Ａ１２が、台座Ａ１の挿入口Ａ１１１が構造材Ｅの上辺部Ｅ１にはめられ、締付手段Ａ１３が締め付けられたときに押圧体Ａ１２の上面が構造材Ｅの上辺部Ｅ１の裏面側に押圧される長さであればよい。そのため、ボルトは短いものでよい。
【００２８】
本実施例の取付金具Ａにおいて、屋根材固定体Ａ２は、全体的に、下向きに開口する断面略コ字状であり、両肩が突出している形状である。屋根材固定体Ａ２は、頂部分Ａ２１ａとその左右両側を斜めに折り下げた斜辺部分Ａ２１ｂ・Ａ２１ｂと、斜辺部分Ａ２１ｂ・Ａ２１ｂを内側方向に折り曲げた箇所である突出部分Ａ２１ｃ・Ａ２１ｃとから成る頭部Ａ２１を有している。そして、突出部分Ａ２１ｃ・Ａ２１ｃの下端から下方向に延出された起立部Ａ２２・Ａ２２が形成されている。この起立部Ａ２２・Ａ２２には、回動軸Ａ３を挿通するための回動軸用孔が形成されている。なお、本実施例における屋根材固定体Ａ２の形状は一例であり、屋根材Ｙを固定でき、後述の台座Ａ１と連結できればよい。
【００２９】
本願の取付金具において、回動軸Ａ３は、台座Ａ１と、屋根材固定体Ａ２とを回動可能に連結させるものである。さらに、回動軸Ａ３は、両端に台座Ａ１と屋根材固定体Ａ２との連結箇所の外側よりも外側に突出されたねじ部Ａ３１・Ａ３１を有する。本実施例では、回動軸Ａ３は、寸切りボルト（全ねじボルト）によって形成されている。このほか、頭部を有する六角ボルト等を２本組み合わせて用いてもよい。この場合、お互いの頭部が内側、お互いのねじ部Ａ３１・Ａ３１が外側を向くように組み合わされる。すなわち、本願の取付金具において、回動軸Ａ３は、少なくとも両外側に突出された部分にねじ切りが形成されていればよい。なお、回動軸Ａ３は、１本の寸切りボルト（全ねじボルト）を貫通させて形成されることで、コストが低い上、軸ずれしにくい構成とすることができる。
【００３０】
ねじ部Ａ３１・Ａ３１は、他部材をナットＮで固定可能な程度の長さを有する。本実施例の場合、ねじ部Ａ３１には、台座Ａ１に屋根材固定体Ａ２を固定するためのナットＮ、連結部材等の板状部材（他部材）、他部材を固定するためのナットＮが固定される長さが必要である。また、ねじ部Ａ３１は、取り付けられた屋根材Ｙの裏面にその先端が当接しない長さである。
【００３１】
次に、本願の取付金具を用いて、屋根材Ｙを取り付ける実施例について、図２で説明する。なお、本実施例における取付部位は、ケラバ部及び棟部以外の部分である。
【００３２】
図２、図３及び図５に示した構造材Ｅは、上辺部Ｅ１と下辺部とを有するＨ形鋼と称されるものである。まず、取付金具Ａの台座Ａ１の挿入口Ａ１１１を構造材Ｅの上辺部Ｅ１の一側にはめる。次に、押圧体Ａ１２の挿通孔から、台座Ａ１の締付手段挿通部にボルトを貫通し、締付手段挿通部の外側に座金をはめ、固定用ナットＡ１３ａを締める。このとき、押圧体Ａ１２は、挿入口Ａ１１１内に徐々に突出していく。また、構造材Ｅの上辺部Ｅ１の裏面側に徐々に押圧されるので、押圧体Ａ１２によって取付金具Ａがしっかり固定されるまで固定用ナットＡ１３ａを締め付ける。
【００３３】
なお、屋根材固定体Ａ２は、台座Ａ１に取り付けられた回動軸Ａ３を軸にして揺動させることができる。このため、屋根の勾配に応じて屋根材固定体Ａ２が前後に傾くので、勾配に合わせて動かしてから回動軸Ａ３の両側端部に組み合わせられたナットＮをきつく締め、屋根材Ｙが添う状態にして固定する。
【００３４】
そして、図２に示す通り、左右の取付金具Ａ・Ａ間に屋根材Ｙの谷部Ｙ１が位置するようにし、それらの取付金具Ａ・Ａの屋根材固定体Ａ２・Ａ２の突出部分Ａ２１ｃ・Ａ２１ｃに屋根材Ｙ・Ｙの嵌合部Ｙ２１・Ｙ２１をはめる。このとき、すでに施工された屋根材Ｙの内側ハゼＹ４に、次に施工する屋根材Ｙの外側ハゼＹ５をかぶせ、さらにそのかぶせた外側ハゼＹ５をハゼ締めして屋根材Ｙ・Ｙを施工していく。
【００３５】
次に、本願の取付金具を用いて、ケラバ部にケラバ部材Ｋを取り付ける実施例について、図３で説明する。
【００３６】
本実施例の取付金具Ａは、最もケラバに近い位置に取り付けられるものである。この取付金具Ａの両外側に突出されたねじ部Ａ３１・Ａ３１のうち、ケラバ側のねじ部Ａ３１に、ケラバ部材固定金具Ｂを取り付ける。このとき、ねじ部Ａ３１が、ケラバ部材固定金具Ｂの挿通孔に挿通され、外側のナットＮによって締め付けられることで取り付けられる。
【００３７】
これに加え、本実施例の取付金具Ａに対して、ケラバ部材固定金具Ｂをビス等の止着具で補助的に止着してもよい。ケラバ部材固定金具Ｂは、取付金具Ａのねじ部Ａ３１にナットＮで取り付けられた状態なので、取付金具Ａに対してビス等の止着具を打ち込みやすく、施工しやすい。
【００３８】
その後、本実施例の取付金具Ａ及びケラバ部材固定金具Ｂに対して、ケラバ部材Ｋが取り付けられる。本実施例では、ビス等の止着具を用いているが、ケラバ部材Ｋの取付方法自体は問わない。
【００３９】
なお、本願の取付金具は、両外側にねじ部Ａ３１・Ａ３１が突出されている。そのため、両ケラバ部のどちらにも用いることができる。
【００４０】
次に、本願の取付金具が、棟部に取り付けられる実施例（本願の取付金具の連結構造）について、図４から図６で説明する。なお、本実施例では、棟部が構造材（Ｈ形鋼）１本で構成されている「一本梁」の場合を示している。
【００４１】
本願の取付金具が、棟部に取り付けられる場合、連結部材Ｃを用いる。本実施例の連結部材Ｃは、帯状であって、複数のねじ係合部Ｃ１・Ｃ１・Ｃ１・Ｃ１を有する。図４から図５に示した連結部材Ｃでは、ねじ係合部Ｃ１・Ｃ１・Ｃ１・Ｃ１は孔（ねじ係合孔）として設けられている。構造材（Ｈ形鋼）の寸法は規格化されている。そのため、所定の間隔をおいて複数のねじ係合孔をあらかじめ設けておくことで、様々な寸法の構造材（Ｈ形鋼）に用いることが可能である。
【００４２】
本願の連結部材は、ねじ係合部Ｃ１を現場で穿孔等により形成させてもよい。一般的には構造材（Ｈ形鋼）の寸法は規格化されているが、まれに規格に沿った寸法でない場合がある。その場合に、現場でねじ係合部Ｃ１を形成させるのが有効である。このとき、あらかじめ１つだけねじ係合部Ｃ１を形成させておき、実際の位置にあわせて穿孔等により形成させるとよい。
【００４３】
また、ねじ係合部Ｃ１は、図４から図５に示すようなねじ係合孔に限定されるものではない。図６に示すように、長孔で形成（ａ）させたり、略Ｕ字状の切り欠きで形成（ｂ）させたりしてもよい。図６に示すような長孔や略Ｕ字状の切り欠きとした場合、本願の取付金具に、連結部材Ｃ・Ｃを係合させ、ナットＮを遊嵌させておくことができる。こうすることで、構造材Ｅに取付金具Ａを取り付けながら、その構造材Ｅの寸法に合わせた調整がしやすくなる。
【００４４】
棟部に対して、本実施例の取付金具Ａが取り付けられる場合、まず、Ｈ形鋼の上辺部Ｅ１の一側に固定される。そして、挿入口Ａ１１１・Ａ１１１を対向させるように、別の取付金具ＡがＨ形鋼の上辺部Ｅ１の他側に固定される。このとき、Ｈ形鋼上で２つの取付金具Ａ・Ａの位置を合わせる。
【００４５】
この２つの取付金具Ａ・Ａのねじ部Ａ３１・Ａ３１同士にかけわたすように連結部材Ｃを係合させ、それぞれナットＮで固定されて連結されている。本実施例では、２つの連結部材Ｃ・Ｃを用い、一方のねじ部Ａ３１・Ａ３１同士、及び他方のねじ部Ａ３１・Ａ３１同士がそれぞれ連結されている。
【００４６】
そして、棟部以外と同様に、屋根材Ｙが屋根材固定体Ａ２に固定される。このとき、棟部の取付金具Ａ・Ａが、２つの連結部材Ｃ・Ｃを用いて連結されているので、屋根の流れ荷重に対して強い構成となる。ここで、本実施例のように、台座Ａ１が挿入口Ａ１１１を有する場合、屋根の流れ荷重が掛かったときに、２つの取付金具Ａ・Ａのうち、一方の挿入口Ａ１１１が構造材Ｅの上辺部Ｅ１に強く押し当てられる構造になっている。したがって、本願の取付金具の連結構造は、溶接でない方法によって構造材等に固定されるタイトフレーム等のうち、台座Ａ１が挿入口Ａ１１１を有するものに適用するのが効果的である。
【符号の説明】
【００４７】
Ａ        取付金具
Ａ１      台座
Ａ１１    本体
Ａ１１１  挿入口
Ａ１１２  回動軸用孔
Ａ１２    押圧体
Ａ１３    締付手段
Ａ１３ａ  固定用ナット
Ａ２      屋根材固定体
Ａ２１    頭部
Ａ２１ａ  頂部分
Ａ２１ｂ  斜辺部分
Ａ２１ｃ  突出部分
Ａ２２    起立部
Ａ２２ａ  回動軸用孔
Ａ３      回動軸
Ａ３１    ねじ部
Ｂ        ケラバ部材固定金具
Ｂ１      ねじ係合部
Ｋ        ケラバ部材
Ｓ        止着具
Ｃ        連結部材
Ｃ１      ねじ係合部
Ｙ        屋根材
Ｙ１      谷部
Ｙ２      斜面部
Ｙ２１    嵌合部
Ｙ３      水平状部
Ｙ４      内側ハゼ
Ｙ５      外側ハゼ
Ｅ        構造材
Ｅ１      上辺部
Ｎ        ナット
【図１】
0006406650.tif 000002
【図２】
0006406650.tif 000003
【図３】
0006406650.tif 000004
【図４】
0006406650.tif 000005
【図５】
0006406650.tif 000006
【図６】
0006406650.tif 000007
【図７】
0006406650.tif 000008
【図８】
0006406650.tif 000009
【図９】
0006406650.tif 000010
【図１０】
0006406650.tif 000011